(57)【特許請求の範囲】
【請求項１】
天井面と床面とのあいだに設けられ、出入り口部が形成される筒壁体内に、各端部が筒壁体内周面、天井面、床面を対向面として対向し、筒中心から放射状に仕切る複数の仕切りパネルを備えたドア体を回転自在に設けてなる回転ドア装置において、
前記各仕切りパネルの前記対向面にそれぞれ対向する各端部の少なくとも一つに、前記対向面との対向間を封止する封止材を設けるにあたり、
該封止材は、前記対向面に対向する側とは反対側部位が枢軸を介して仕切りパネルの先端部に軸支されることで全体が揺動するものとし、
該封止材の突出長さを、仕切りパネル端部と対向面とのあいだの隙間が最大の部位において該部位の対向面に対して封止材が直交状に摺接する長さに設定して、
封止材を、
前記対向面とのあいだの隙間が最大の部位では、直交姿勢をとって該対向面に摺接し、
対向面とのあいだの隙間が前記最大の部位よりも近付いた部位では、該部位の対向面から封止材に作用する負荷により封止材の全体が前記隙間が最大部位での摺接姿勢を維持する状態で回転方向後側に揺動して傾斜する傾斜姿勢となって該部位の対向面に摺接するようにして隙間を封止するように設定されている構成とした回転ドア装置。
【請求項２】
封止材は、仕切りパネルの端部に一方の丁番片が固定された丁番の他方の丁番片に固定されている請求項１に記載の回転ドア装置。
【請求項３】
封止材は、仕切りパネルの端部に設けた支軸に揺動自在に設けられている請求項１に記載の回転ドア装置。
【請求項４】
封止材には、封止材を直交姿勢に保持するための保持手段が設けられている請求項２または３に記載の回転ドア装置。
【請求項５】
仕切りパネルの端部には、封止材を予め設定される揺動範囲において揺動するための揺動規制手段が設けられている請求項１乃至４の何れか１項に記載の回転ドア装置。
【発明の詳細な説明】
【技術分野】
【０００１】
本発明は、ビル等の建築物の開口部に設けられる回転ドア装置の技術分野に属するものである。
【背景技術】
【０００２】
一般に、この種回転ドア装置のなかには、天井面と床面とのあいだに設けられ、出入り口部が形成される筒壁体内に、筒中心から放射状に仕切る複数の仕切りパネルを備えたドア体を回転自在に設けて構成されるものがある。このようなものでは、ドア体の回転に伴い、筒壁体に形成された出入り口部を常に閉鎖状態として、屋内外方向に連通して通風状態となることを遮断しながら、出入り口部の出入り（通行）ができるように構成されており、これによって、回転ドア装置は、屋内の温度管理を容易にする機能や、風害を防止する機能を得ることができる。そして、これらの機能を向上させるためには、仕切りパネルと、天井面、床面、筒壁体の内周面とのあいだに形成される隙間をできる限り封止することが必要となる。
【０００３】
この改善策として、天井面、床面、筒壁体とのあいだに封止材を設けることが提唱されるが、例えば、筒壁体の内側面に対向する仕切りパネルの外径側の端面に沿って、対向面側に摺接する長さに設定されたブラシ状の気密材を一体的に設ける構成とすることが提唱されている。
【特許文献１】特開２００３−２４７３７９号公報
【発明の開示】
【発明が解決しようとする課題】
【０００４】
ところで、天井面、床面、筒壁体は、各面を予め設定される寸法に基づいて形成されるが、天井面、床面の水平レベル、また、筒壁体は径寸法において、これらを精度よく形成することは難しく、それぞれの面において寸法誤差が生じているのが現状である。また、ドア体を筒壁体の筒中心に設置する場合も、芯出し精度よく設置することは難しく、筒壁体とのあいだに寸法誤差が生じてしまうことがあり、ドア体と各面とのあいだに形成される隙間寸法を一定に設定することが事実上困難となっている。これに対し、前記従来の気密材は、各側縁部に気密材を一体的に固定支持する構成となっており、このものにおいて、例えば、筒壁体とドア体とのあいだの隙間が一定となっていない場合に、ブラシ状の気密材の長さを、隙間の大きさ（長さ）が大きい（長い）箇所にあわせて設定すると、隙間が小さい箇所で気密材の先端部が筒壁体に強く当接して、気密材の摩耗が激しくなって耐久性に劣るばかりでなく、筒壁体を汚損したり、仕切りパネルの回転に対して負荷が発生するという問題が生じる。一方、気密材の長さを小さい隙間の箇所に合わせて設定すると、大きい隙間の箇所で気密材の先端部と筒壁体とのあいだに隙間が形成されて封止性が劣るという問題が生じる。このため、両者の中庸をとることになるが、気密材の長さの設定が難しいばかりでなく、充分な封止性を確保できないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、天井面と床面とのあいだに設けられ、出入り口部が形成される筒壁体内に、各端部が筒壁体内周面、天井面、床面を対向面として対向し、筒中心から放射状に仕切る複数の仕切りパネルを備えたドア体を回転自在に設けてなる回転ドア装置において、前記各仕切りパネルの前記対向面にそれぞれ対向する各端部の少なくとも一つに、前記対向面との対向間を封止する封止材を設けるにあたり、該封止材は、前記対向面に対向する側とは反対側部位が枢軸を介して仕切りパネルの先端部に軸支されることで全体が揺動するものとし、該封止材の突出長さを、仕切りパネル端部と対向面とのあいだの隙間が最大の部位において該部位の対向面に対して封止材が直交状に摺接する長さに設定して、封止材を、前記対向面とのあいだの隙間が最大の部位では、直交姿勢をとって該対向面に摺接し、対向面とのあいだの隙間が前記最大の部位よりも近付いた部位では、該部位の対向面から封止材に作用する負荷により封止材の全体が前記隙間が最大部位での摺接姿勢を維持する状態で回転方向後側に揺動して傾斜する傾斜姿勢となって該部位の対向面に摺接するようにして隙間を封止するように設定されている構成とした回転ドア装置である。
請求項２の発明は、封止材は、仕切りパネルの端部に一方の丁番片が固定された丁番の他方の丁番片に固定されている請求項１に記載の回転ドア装置である。
請求項３の発明は、封止材は、仕切りパネルの端部に設けた支軸に揺動自在に設けられている請求項１に記載の回転ドア装置である。
請求項４の発明は、封止材には、封止材を直交姿勢に保持するための保持手段が設けられている請求項２または３に記載の回転ドア装置である。
請求項５の発明は、仕切りパネルの端部には、封止材を予め設定される揺動範囲において揺動するための揺動規制手段が設けられている請求項１乃至４の何れか１項に記載の回転ドア装置である。
【発明の効果】
【０００６】
請求項１、３の発明とすることにより、確実な封止ができるものでありながら、封止の耐久性を向上できる。
請求項２の発明とすることにより、構成の簡略化が図れるうえ、封止材の長さ調整作業の簡略化が図れる。
請求項４の発明とすることにより、封止材を円滑、かつ、確実に変姿揺動させることができる。
請求項５の発明とすることにより、封止材が必要以上に倒れ込むような不具合がなく、確実、かつ、効果的な封止ができる。
【発明を実施するための最良の形態】
【０００７】
つぎに、本発明の第一の実施の形態について、図面に基づいて説明する。
図面において、１は建築物に設けられた回転ドア装置であって、該回転ドア装置１を構成する筒壁体２は、床面Ｆと天井面Ｒとのあいだに円筒状空間を構成している。そして、筒壁体２は、径方向に対向する屋内外部位に位置して一対の出入り口部２ａ、２ｂが形成されており、これら出入り口部２ａ、２ｂは、建築物の屋内外を連絡する開口部に設定されている。
【０００８】
３は筒壁体２により構成される円筒状空間内に配設されるドア体であって、該ドア体３の回転支軸３ａは、筒壁体２の軸芯部（筒中心）に位置し、天井面Ｒと床面Ｆとのあいだに回転自在に立設されている。そして、回転支軸３ａの外周に、周回り方向所定間隙を存して三枚の仕切りパネル４が放射方向に延出する状態で一体的に固定されている。尚、回転支軸３に設けられる仕切りパネル４は、三枚に限定されることはなく、筒状空間の大きさや、設置条件等に対応して適宜枚数（例えば二枚、四枚等）にすることが可能である。
そして、前記ドア体３は、仕切りパネル４により回転支軸３ａを中心として円筒状空間を三等分割して三つのコンパートメントを形成しており、各コンパートメントが順次出入り口部２ａ、２ｂに対向することにより、各出入り口部２ａ、２ｂを、通風を遮断しながら開閉するように構成されている。
【０００９】
前記三枚の仕切りパネル４は、それぞれ矩形状のガラス体５と、該ガラス体５の四周を囲繞する金属製の四周枠体とにより構成されており、ガラス体５の内径側縁部に固定される内径側縦枠体６は、それぞれ回転支軸３ａに一体的に固定されている。前記ガラス体５の外径側縁部に固定される外径側縦枠体７、上下側縁部に固定される上、下側横枠体８、９は、それぞれ筒壁体２の内周面２ｃ、天井面Ｒ、床面Ｆに対し、それぞれ所定間隙を存した状態で近接対向するように設定されている。そして、これらの枠体７、８、９には、対応する対向面（筒壁体内周面２ｃ、天井面Ｒ、床面Ｆ）との間を封止する封止材１０が、ドア体３の回転方向に沿って揺動自在となるように設けられている。
【００１０】
前記封止材１０は、長軸体（鉄心）１０ａと、該長軸体１０ａから一方に向けて突出するように固定（植設）される気密体１０ｂ（例えば束状の馬毛）とにより帯形のブラシ状に形成された汎用のものが用いられている。そして、封止材１０をケーシング１１に保持するが、該ケーシング１１は、長尺状のプレート片１１ａと、該プレート片１１ａの一方の板面の先端部に蟻溝状に形成された支持溝片１１ｂとにより構成されており、該支持溝片１１ｂに、封止材１０の長軸体１０ａを組み込むことにより、封止材１０は、気密体１０ｂの突出方向への抜け止めがなされた状態で支持されるように構成されている。
【００１１】
一方、前記外径側縦枠体７は、上下方向長尺状の角筒パイプ状に形成されており、筒壁体内周面２ｃと近接対向する外径側端面７ａには、周回り方向（図２において矢印で示すドア体３の回転方向）における両端部に位置して筒壁体内周面２ｃ側に向けて突出する第一、第二係止爪７ｂ、７ｃが上下方向全長にわたって形成されている。そして、前記外径側端面７ａには、上下方向長尺状の第一、第二カバー体１２、１３が、ドア体３の回転方向に隣接する状態でそれぞれ設けられている。
前記第一カバー体１２は、前記外径側端面７ａに沿ってあてがわれる固定片１２ａと、筒壁体内周面２ｃ側に突出する第一保持片１２ｂと、回転方向先側に突出する第二保持片１２ｃとを備えて構成されており、第二保持片１２ｃ形成部位を外径側端面７ａに形成された第一係止爪７ｂに係止させ、固定片１２ａを外径側端面７ａに沿わせて螺子止めすることにより、外径側端面７ａに固定されるように構成されている。そして、第一カバー体１２の第一、第二保持片１２ｂ、１２ｃには、ドア体１の回転方向先側に向けて突出し、障害物に対して緩衝する緩衝体１４の基端部の第一、第二係止片１４ａ、１４ｂがそれぞれ嵌着保持されるように設定されている。また、第二カバー体１３はＵ字形に形成されており、一方の脚片１３ａを第一カバー体１２の固定片１２ａに形成される図示しない係止片に抜け止め状に係止させ、他方の脚片１３ｂを外径側端面７ａに形成された第二係止爪７ｃに押し込むことにより、外径側端面７ａに抜け止め状に嵌着保持されるように構成されている。
そして、第一カバー体１２の第一保持片１２ｂと、第二カバー体１３の一方脚片１３ａとのあいだには、外径側が開口し、第一カバー体固定片１２ａ（外径側端面７ａ側）を溝底とし、回転方向の溝幅を備えた第一凹部Ｈ１が上下方向全長にわたって形成されている。
【００１２】
このように構成された第一凹部Ｈ１は、溝底部位となる第一カバー体１２の固定片１２ａと第二カバー体１３の一方の脚片１３ａとの連結部位において、上下方向複数箇所に位置して一部が切り欠かれた切り欠き部１２ｄ、１３ｃが形成されており、これら各切り欠き部１２ｄ、１３ｃを介して外部から臨める外径側縦枠体７の外径側端面７ａに、それぞれ丁番１５の一方の丁番片１５ａが固定されている。ここで、前記丁番１５は一般に汎用されている旗丁番であって、一対の丁番片１５ａ、１５ｂとこれら丁番片１５ａ、１５ｂを揺動自在に連結する枢軸１５ｃとを備えて構成されている。そして、丁番１５は、枢軸１５ｃが上下方向を向き、他方の丁番片１５ｂが第一凹部Ｈ１内に延出する状態で固定されており、これによって、他方の丁番片１５ｂは、第一凹部Ｈ１内において枢軸１５ｃを支点として、ドア体３の回転方向に沿って揺動するように構成されている。
【００１３】
そして、前記第一凹部Ｈ１の上下方向複数箇所に配設される他方の丁番片１５ｂに、前記封止材１０が組み込まれたケーシング１１の長尺状のプレート片１１ａが、支持溝片１１ｂが回転方向先側に配設する状態で一体的に固定されるように設定されている。これによって、上下方向長尺状の封止材１０は、第一凹部Ｈ１内の上下方向略全長にわたって配設され、第一凹部Ｈ１の溝側片を構成する回転方向先側の第一カバー体１２の第一保持片１２ｂと回転方向後側の第二カバー体１３の一方脚片１３ａとを揺動規制手段とする所定の揺動範囲内において、回転方向に沿った揺動が自在な状態となるように構成されている。つまり、封止材１０は、図２に示すように、ケーシング支持溝片１１ｂの回転方向先側部位が第一カバー体１２の第一保持片１２ｂに当接して、気密体１０ｂが筒壁体内周面２ｃに対して直交状に突出し、先端が筒壁体内周面２ｃに摺接する直交姿勢と、図３の実線で示すように、プレート片１１ａの回転方向後側面の先端部が、第二カバー体１３の一方脚片１３ａに当接して、気密体１０ｂが筒壁体内周面２ｃに対して傾斜状に突出し、先端が筒壁体内周面２ｃに摺接する傾斜姿勢とのあいだを揺動変姿するように設定されている。
また、図２、３から明らかなように、封止材１０は、対向面２ｃ、Ｒ、Ｆに対向する側とは反対側部位が枢軸１５ｃを介して仕切りパネルの先端部に軸支されている。さらに、図３から明らかなように、封止材１０は、先端部位ではなく、全体が二点破線状態から実線状態に揺動しているものである。
このように、封止材１０は、揺動規制手段により揺動範囲が規制されることにより、気密体１０ｂが必要以上に倒れ込んだりするのが防止されて、確実、かつ、効果的な封止ができるように構成されている。
【００１４】
さらに、丁番１５には、本発明の保持手段に相当する捩り弾機１５ｄが設けられており、固定される一方の丁番片１５ａに対し、他方の丁番片１５ｂを回転方向先側に揺動させる方向に向けて付勢されている。これによって、封止材１０は、気密体１０ｂを筒壁体内周面２ｃに対して直交状に突出する直交姿勢に保持されるように設定されている。
そして、封止材１０（気密体１０ｂ）の突出長さは、予め、筒壁体内周面２ｃとのあいだの隙間が最大の部位において、直交姿勢の封止材１０（気密体１０ｂ）の先端が筒壁体内周面２ｃに達して、前記隙間を封止するのに充分な長さに設定されている。そして、封止材１０と筒壁体内周面２ｃとのあいだが大きく空いている箇所では、封止材１０が直交姿勢となって隙間を封止して気密性を損なうことがないように設定されている。これに対し、封止材１０と筒壁体内周面２ｃとのあいだが近付いた箇所では、筒壁体内周面２ｃから気密体１０ｂに作用する負荷により、封止材１０が捩り弾機１５ｄの付勢力に抗して回転方向後側に揺動する傾斜姿勢となるが、図３から明らかなように、封止材１０に作用する負荷により封止材１０は、全体が二点破線状態から実線状態に揺動して傾斜することで、封止材１０の全体が前記隙間が最大部位での摺接姿勢を維持する状態で回転方向後側に揺動して傾斜する傾斜姿勢となっている。そして、これによって気密体１０ｂが傾斜状になって筒壁体内周面２ｃに摺接することにより、封止材１０に作用する負荷が軽減されて摩耗等による不具合が防止されるように構成され、封止材１０と筒壁体内周面２ｃとのあいだの隙間が再び大きくなって封止材１０に作用する負荷が軽減されると、封止材１０は、捩り弾機１５ｄの付勢力を受けて直交姿勢に変姿して、筒壁体内周面２ｃとのあいだを封止するように設定されている。このように、封止材１０は、筒壁体内周面２ｃとのあいだの隙間の大きさに対応して捩り弾機１５ｄの付勢力に抗して適宜揺動し、これによって、気密体１０ｂが大きな負荷を受けることなく筒壁体内周面２ｃとのあいだを確実に封止することができるように構成されている。
尚、２ｄは、筒壁体２の出入り口部２ａ、２ｂに設けられる緩衝体である。
【００１５】
また、仕切りパネル４の上側横枠体８は、上方が開口する径方向に長い凹溝部８ａを備えて構成されており、該凹溝部８ａの回転方向後側（図４において反矢印方向）の半部はカバー体１６により覆われるように構成されている。前記カバー体１６は、断面コ字形に形成されており、一対の脚片１６ａを連結する連結片１６ｂを凹溝部８ａの溝底片８ｂに対向させる状態で溝底片８ｂに螺子止め固定されている。そして、上側横枠体８の上端部には、カバー体１６の回転方向先側に位置して、上方が開口し、カバー体１６の回転方向先側の脚片１６ａと、凹溝部８ａを構成する回転方向先側の溝側片８ｃとを溝側片とする第二凹部Ｈ２が径方向に長く形成されている。そして、カバー体１６の回転方向先側の脚片１６ａには径方向複数箇所に位置して切り欠き部１６ｃが形成されており、これら各切り欠き部１６ｃを介して上側横枠体８の溝底片８ｂに、前記丁番１５の一方の丁番片１５ａがそれぞれ固定されるが、丁番１５は、枢軸１５ｃが径方向を向き、他方の丁番片１５ｂが第二凹部Ｈ２内に延出する状態で固定されており、これによって、他方の丁番片１５ｂは、第二凹部Ｈ１内において枢軸１５ｃを支点として、ドア体３の回転方向に沿って揺動するように構成されている。
【００１６】
そして、前記第二凹部Ｈ２の径方向複数箇所に配設される他方の丁番片１５ｂに、前記封止材１０が組み込まれたケーシング１１の長尺状のプレート片１１ａが、前記外径側部位と同様に固定され、径方向長尺状の封止材１０が第二凹部Ｈ２内の径方向略全長にわたって配設され、第二凹部Ｈ２の溝側片を構成する回転方向先側の溝側片８ｃとカバー体１６の回転方向後側の脚片１６ａとを揺動規制手段とする所定の揺動範囲内において、回転方向に沿って揺動自在となるように構成されている。これによって、封止材１０は、図４の実線で示すように、ケーシング支持溝片１１ｂの回転方向先側部位が回転方向先側の溝側片８ｃに当接して、気密体１０ｂが天井面Ｒに対して直交状に突出し、先端が天井面Ｒに摺接する直交姿勢と、図４の仮想線で示すように、プレート片１１ａの回転方向後側面の先端がカバー体１６の回転方向先側の脚片１６ａに当接して、気密体１０ｂが天井面Ｒに対して傾斜状に突出し、先端が天井面Ｒに摺接する傾斜姿勢とのあいだを揺動変姿するように設定されている。
【００１７】
さらに、丁番１５には、本発明の保持手段に相当する捩り弾機１５ｄが設けられており、固定されている一方の丁番片１５ａに対して、他方の丁番片１５ｂを回転方向先側に揺動する方向に向けて付勢されている。これによって、封止材１０は、気密体１０ｂを天井面Ｒに対して直交状に突出する直交姿勢に保持することができるように設定されている。
そして、封止材１０（気密体１０ｂ）の突出長さは、仕切りパネル４の外径側縦枠体７に設けたものと同様に、天井面Ｒとのあいだの隙間が最大の部位において、直交姿勢の封止材１０（気密体１０ｂ）の先端が天井面Ｒに達して、前記隙間を封止するのに充分な長さに設定され、封止材１０と天井面Ｒとのあいだが大きく空いている箇所では、封止材１０が直交姿勢となって隙間を封止して気密性を損なうことがなく、封止材１０と天井面Ｒとのあいだが近付いた箇所では、天井面Ｒから気密体１０ｂに作用する負荷により、図３から明らかなように、封止材１０の全体が前記隙間が最大部位での摺接姿勢を維持する状態で捩り弾機１５ｄの付勢力に抗して回転方向後側に揺動する傾斜姿勢となって気密体１０ｂの先端が天井面Ｒに摺接し、封止材１０に作用する負荷が軽減された状態で封止するように構成されている。このように、封止材１０は、天井面Ｒとのあいだの隙間の大きさに対応して、封止材１０が捩り弾機１５ｄの付勢力に抗して揺動し、これによって、気密体１０ｂが大きな負荷を受けることなく天井面Ｒとのあいだを確実に封止して、しかも、摩耗等による不具合が防止されるように構成されている。
【００１８】
一方、仕切りパネル４の下側横枠体９は、前記上側横枠体８と略同様の構成であり、下方が開口する径方向に長い凹溝部９ａの回転方向後側（図５において反矢印方向）の半部にカバー体１７が設けられ、下側横枠体９の下端部には、下方が開口し、凹溝部９ａの溝底片９ｂを底片とし、カバー体１７の回転方向先側の脚片１７ａと、凹溝部９ａの回転方向先側の溝側片９ｃとを溝側片とする第三凹部Ｈ３が形成されている。そして、カバー体１７の回転方向先側の脚片１７ａには径方向複数箇所に位置して切り欠き部１７ｂが形成され、これら各切り欠き部１７ｂを介して下側横枠体９の溝底片９ｂに、前記丁番１５の一方の丁番片１５ａが、枢軸１５ｃを径方向に延出させる状態でそれぞれ固定され、他方の丁番片１５ｂが第三凹部Ｈ３内に延出して、ドア体３の回転方向に揺動自在となるように配設されている。
【００１９】
そして、前記第三凹部Ｈ３の径方向複数箇所に配設される他方の丁番片１５ｂに、前記封止材１０が組み込まれたケーシング１１の長尺状のプレート片１１ａが固定されており、これによって、径方向長尺状の封止材１０が第三凹部Ｈ３内の径方向略全長にわたって配設され、第三凹部Ｈ３の溝側片を構成する回転方向先側の溝側片９ｃとカバー体１７の回転方向後側の脚片１７ａとを揺動規制手段とする所定の揺動範囲内において、回転方向に沿った揺動が自在な状態となるように構成されている。そして、封止材１０は、図５の実線で示すように、ケーシング支持溝片１１ｂの回転方向先側部位が回転方向先側の溝側片９ｃに当接して、気密体１０ｂが床面Ｆに対して直交状に突出し、先端が床面Ｆに摺接する直交姿勢と、図５の仮想線で示すように、プレート片１１ａの回転方向後側面の先端がカバー体１７の回転方向先側の脚片１７ａに当接して、気密体１０ｂが床面Ｒに対して傾斜状に突出し、先端が床面Ｆに摺接する傾斜姿勢とのあいだを揺動変姿するように設定されている。
【００２０】
ここで、下側横枠体９に設けられる丁番１５は、他方の丁番片１５ｂが自重垂下することにより封止材１０を直交姿勢とすることになるので、封止材１０を直交姿勢に保持するための保持手段を格別設ける必要はない。そして、封止材１０（気密体１０ｂ）の突出長さは、仕切りパネル４の外径側縦枠体７、上側横枠体８に設けたものと同様に、床面Ｆとのあいだの隙間が最大の部位において、直交姿勢の封止材１０（気密体１０ｂ）の先端が床面Ｆに達して、前記隙間を封止するのに充分な長さに設定され、封止材１０と床面Ｆとのあいだが大きく空いている箇所では、封止材１０が直交姿勢となって隙間を封止して気密性を損なうことがなく、封止材１０と床面Ｆとのあいだが近付いた箇所では、床面Ｆから気密体１０ｂに作用する負荷により回転方向後側に揺動する傾斜姿勢となり、気密体１０ｂが傾斜状になって床面Ｆに摺接することにより、封止材１０に作用する負荷が軽減されて摩耗等による不具合が防止されるように構成されるように構成されており、これによって、封止材１０は、床面Ｆとのあいだの隙間の大きさに対応して、封止材１０が適宜揺動する構成となり、もって、気密体１０ｂが大きな負荷を受けることなく床面Ｆとのあいだを確実に封止できるように構成されている。
【００２１】
尚、外径側縦枠体７、上、下側横枠体８、９にそれぞれ設けられる封止材１０は、それぞれの直交姿勢において、封止材１０が設けられる他方の丁番片１５ｂの先端部が僅かに回転方向後側を向く状態で、揺動規制手段により回転方向先側への揺動が規制されている。これによって、各対向面２ｃ、Ｒ、Ｆとの対向間隔の変化で封止材１０に負荷が作用したときは、封止材１０を強制的に回転方向後側に向けて揺動せしめ、また、ドア体３が急停止して瞬間的に反転したような場合であっても、封止材１０が回転方向先側に向けて揺動してしまうようなことを確実に防止できるように構成されている。
さらに、封止材１０はケーシング１１に設けられ、ケーシングプレート片１１ａを各枠体７、８、９に固定された丁番１５の他方の丁番片１５ｂに固定（螺子止め）する構成としたので、プレート片１１ａを他方の丁番片１５ｂに対して位置調整をすることで封止材１０の長さを調整することができ、調整作業の簡略化を図れるように構成されている。
【００２２】
叙述の如く構成された本形態において、回転ドア装置１を構成する各仕切りパネル４は、外径側縦枠体７、上、下側横枠体８、９に設けられ、筒壁体内周面２ｃ、天井面Ｒ、床面Ｆとのあいだに形成される隙間を封止する封止材１０が、それぞれドア体３の回転方向に沿って揺動自在となる構成としたので、各枠体７、８、９と対応する対向面２ｃ、Ｒ、Ｆとのあいだに形成される隙間寸法が一定でなく誤差があったとしても、封止材１０の気密体１０ｂを隙間寸法よりも長めに設定することにより、隙間が大きいときでも確実な封止がなされ、しかも、隙間が小さいときには、封止材１０が回転方向に揺動する傾斜姿勢に揺動変姿して対向面２ｃ、Ｒ、Ｆに摺接するので、封止材１０が早期に摩耗するような不具合がなく、確実な封止ができるものでありながら、封止材１０の耐久性を向上させることができる。
【００２３】
このように、本発明が実施されたものにあっては、封止材１０を回転方向に沿って揺動自在に設けることで、封止材１０による封止が確実になり、しかも、耐久性を向上できるが、このものでは、封止材１０を揺動させる構成とするために汎用の丁番１５を用いているので、構成が簡略で、しかも、他方の丁番片１５ｂに対する封止材１０の取り付け位置を変えることにより、封止材１０の長さ調整をすることができて、調整作業の簡略化を図ることができる。
【００２４】
そのうえ、このものでは、下側横枠体９に設けられる丁番１５の他方の丁番片１５ｂは自重垂下することで封止材１０を直交姿勢に保持し、床面Ｆとの対向間隔に応じて封止材１０を直交姿勢と傾斜姿勢とのあいだを円滑に揺動変姿させることができる。一方、外径側縦枠体７と上側横枠体８とに設けられる丁番片１５は、そのままでは封止材１０を直交姿勢に保持することはできないが、捩り弾機１５ｄを設けることにより直交姿勢を保持することができて、対向面２ｃ、Ｒとの対向間隔に応じて封止材１０を直交姿勢と傾斜姿勢とのあいだを円滑に変姿揺動させることができる。
【００２５】
しかも、封止材１０は、予め設定された揺動範囲において揺動するように構成されているので、封止材１０が必要以上に倒れ込むような不具合がなく、確実、かつ、効果的な封止を行うことができる。
【００２６】
尚、本発明は前記実施の形態に限定されないことは勿論であって、図６に示す第二の実施の形態のようにすることもできる。
第二の実施の形態の封止材１８は、前記第一の実施の形態と同様に、長軸体１８ａと、該長軸体１８ａから一方に向けて突出するように固定される気密体１８ｂとにより帯状に形成されている。一方、封止材１８の長軸体１８ａを保持するケーシング１９は、封止材１８と同様に長尺状に形成されており、先端に長軸体１８ａを保持する蟻溝状の保持部１９ａが形成され、封止材１８を気密体１８ｂの突出方向に抜け止めした状態で保持するように構成されている。さらに、ケーシング１９は、保持部１９ａの基端側に支軸２０が相対回転自在に貫通する貫通孔１９ｂが形成され、該貫通孔１９ｂの基端側にプレート状のアーム部１９ｃが形成されている。
【００２７】
このように構成された封止材１８は、各仕切りパネル２１の外径側縦枠体２２、図示しない上、下側横枠体に設けられることになるが、外径側縦枠体２２への取り付け状態について、図６に基づいて説明する。
仕切りパネル２１の外径側縦枠体２２は、外径側が開口する凹部２２ａが形成され、該凹部２２ａに、ケーシング１９のアーム部１９ｃを遊嵌し、貫通孔１９ｂから突出する支軸２０の突出端部を外径側縦枠体２２の上下端部に固定することにより、封止材１８は、矢印で示すドア体の回転方向に沿う揺動が自在となり、気密体１８ｂが筒壁体２４の内周面２４ａに対して直交状に突出して、先端が筒壁体内周面２４ａに摺接する直交姿勢と、傾斜状に突出して摺接する傾斜姿勢とに揺動変姿するように構成されている。このとき、封止材１８は、凹部２２ａの回転方向後側の溝側面２２ｂと外径側縦枠体２２に設けられるカバー体２５とが揺動規制手段となって揺動範囲を規制するように設定されるが、さらに、前記凹部２２ａの回転方向先側には、弾持手段として弾性を有した弾持ブロック２６が設けられており、該弾持ブロック２６により封止材１８を直交姿勢に向けて付勢するように構成されている。これによって、封止材１８は、前記第一の実施の形態と同様に、筒壁体内周面２４ａとのあいだの隙間寸法が小さくなって封止材１８に負荷が生じると、弾持ブロック２６を弾性変形させながら傾斜姿勢となり、負荷がなくなることで直交姿勢に変姿するように構成され、対向間の隙間寸法の変化に対応して直交姿勢と傾斜姿勢とに適宜変姿することができて、封止性の向上、耐久性の向上が図れるようになっている。
尚、上、下側横枠体に対しては、これらに形成される凹部に、ケーシング１９に収容された封止材１８を設けるが、これらに支軸２０を設ける場合は、支軸２０を径方向に延出する状態で固定することで封止材１８をドア体の回転方向に沿って揺動させることができ、これ以外の構成は外径側縦枠体２２に設ける場合と同様であるので、詳細な説明は省略する。また、下側横枠体に対しては弾持ブロックが不要になることは、前記第一の実施の形態と同様である。
【図面の簡単な説明】
【００２８】
【図１】回転ドア装置の概略正面図である。
【図２】外径側縦枠体に設けられた封止材の配設状態を説明する断面図である。
【図３】外径側縦枠体に設けられた封止材の姿勢変姿状態を説明する断面図である。
【図４】図４（Ａ）、（Ｂ）はそれぞれ上側横枠体に設けられた封止材の配設状態を説明する正面図、断面図である。
【図５】図５（Ａ）、（Ｂ）はそれぞれ下側横枠体に設けられた封止材の配設状態を説明する正面図、断面図である。
【図６】図６（Ａ）、（Ｂ）はそれぞれ第二の実施の形態の外径側縦枠体に設けられた封止材の直交姿勢を説明する断面図、傾斜姿勢を説明する断面図である。
【符号の説明】
【００２９】
１    回転ドア装置
２    筒壁体
２ｃ    内周面
３    ドア体
４    仕切りパネル
７    外径側縦枠体
８    上側横枠体
１０    封止材
１０ｂ    気密体
１１    ケーシング
１２    第一カバー体
１５    丁番
１５ａ    丁番片
１５ｃ    枢軸
Ｈ１    第一凹部
Ｈ２    第二凹部
Ｈ３    第三凹部
Ｒ    天井面
Ｆ    床面
【図１】
0005351395.tif 000002
【図２】
0005351395.tif 000003
【図３】
0005351395.tif 000004
【図４】
0005351395.tif 000005
【図５】
0005351395.tif 000006
【図６】
0005351395.tif 000007